(57)【要約】【課題】システムコストを抑え、しかも応用範囲の広いサービスが可能な緊急通信サービス方法及び装置を提供する。【解決手段】ＧＰＳ受信機を有する端末装置を備えた救急車２に搭載された、画像を送信する通信装置と地上ネットワーク３に接続されたゲートウェイ局４を準天頂衛星１経由で結び、地上ネットワーク４には救急センター５１…５ｘを、さらに救急センターには近隣の複数の病院を結んだサービス網を形成し、救急車２からの患者の画像等必要な情報を上記サービス網を通して救急センター５１…５ｘに送り、救急センターでは、送られてきた画像、救急車２の現在位置、及び救急センターが把握している近隣の病院の所在地、専門診療科、担当医、受け入れ可能な急患数等の情報をもとに救急車２に対して必要な指示を行う。【選択図】　　　　図１
2004126751.tif 000002
【特許請求の範囲】
【請求項１】
ＧＰＳ受信機を有する端末装置を備えた救急車に搭載された、画像を送信する通信装置と地上ネットワークに接続されたゲートウェイ局を準天頂衛星経由で結び、上記地上ネットワークには救急センターを、さらに救急センターには近隣の複数の病院を結んだサービス網を形成し、上記救急車からの患者の撮像画像を準天頂衛星、ゲートウェイ局、地上ネットワークを通して救急センターに送り、救急センターでは、送られてきた画像をもとに、上記救急車に対して必要な指示を行うようにしたことを特徴とする緊急通信サービス提供方法。
【請求項２】
ＧＰＳ受信機を備えた救急車に搭載された、画像を送信する通信装置と地上ネットワークに接続されたゲートウェイ局を準天頂衛星経由で結び、上記地上ネットワークには救急センターを、さらに救急センターには近隣の複数の病院を結んだサービス網を形成し、上記救急車からの患者の撮像画像を準天頂衛星、ゲートウェイ局、地上ネットワークを通して救急センターに送り、救急センターでは、送られてきた画像、上記救急車の現在位置、及び救急センターが把握している近隣の病院の所在地、診療科、担当医、受け入れ可能な急患数の内の複数の情報をもとに、上記救急車に対して必要な指示を行うようにしたことを特徴とする緊急通信サービス提供方法。
【請求項３】
上記救急センターは、上記救急車に対して、患者を搬送すべき病院を指示することを特徴とする請求項１または請求項２に記載の緊急通信サービス提供方法。
【請求項４】
上記救急センターは、患者を搬送すべき病院の位置を上記救急車のナビゲータに上記サービス網を通して指示するようにしたことを特徴とする請求項１または請求項２に記載の緊急通信サービス提供方法。
【請求項５】
上記救急センターは、上記救急センターに常駐する医師が、上記救急車に同乗している救急救命士に対して、初期治療方法を指示することを特徴とする請求項１または請求項２に記載の緊急通信サービス提供方法。
【請求項６】
上記救急センターは、上記救急車からの画像を入手したとき、上記救急センター側から制御信号を送ることで、上記画像を撮影するカメラの位置、方向、またはズームの制御を可能にしたことを特徴とする請求項１または請求項２に記載の緊急通信サービス提供方法。
【請求項７】
ＧＰＳ受信機を有する端末装置を備えた救急車に搭載された通信装置と地上ネットワークに接続されたゲートウェイ局を準天頂衛星経由で結び、上記地上ネットワークに救急センターを、また上記救急センターに近隣の複数の病院を結んだサービス網を形成し、上記救急センターは、通報者から通報を受けた患者の現在地を患者の搬送に向かう救急車のナビゲータに上記サービス網を通して指示するようにしたことを特徴とする緊急通信サービス提供方法。
【請求項８】
上記救急センターは、近隣の病院の所在地、診療科、受け入れ可能な急患数を記録し、上記記録内容をネットワークを介して常にアップデートしていることを特徴とする請求項１〜請求項７のいずれか一項に記載の緊急通信サービス提供方法。
【請求項９】
ＧＰＳ受信機を有する端末装置を備えた車両に搭載された通信装置と地上ネットワークに接続されたゲートウェイ局を準天頂衛星経由で結び、上記地上ネットワークには警察本部及び／または救急センターを結んだサービス網を形成し、上記警察本部及び／または救急センターは、上記車両から上記サービス網を通して事故の通報を受けたとき、上記事故車からの位置情報に基づいて、パトロールカー及び／または救急車に事故現場に向かう指示を与えるようにしたことを特徴とする緊急通信サービス提供方法。
【請求項１０】
地上ネットワーク、このネットワークのゲートウェイ局、及び準天頂衛星を経由して救急車の通信装置に接続される救急センターに、近隣の病院の所在地、診療科、受け入れ可能な急患数等の情報を記録する記録手段と、通報者から通報された患者位置及び上記救急車からの患者情報をもとに患者受け入れ可能な病院を検索する検索手段と、上記救急車で搬送される患者の救急車内における撮像画像を受信する画像受信手段と、受信された患者の画像を表示する表示手段と、上記表示手段の画像を医者が見て上記救急車の患者と同乗する救急救命士と会話する音声通信手段とを備え、上記受信画像と上記会話内容を、上記患者の受け入れ先となる病院に設けられた通信端末に送信し、当該病院の医師にそれら撮像画像及び会話を視聴させるようにしたことを特徴とする緊急通信サービス提供装置。
【請求項１１】
地上ネットワーク、このネットワークのゲートウェイ局、及び準天頂衛星を経由して救急車の通信装置に接続される救急センターに、近隣の病院の所在地、診療科、受け入れ可能な急患数等の情報を記録する記録手段と、通報者から通報された患者位置及び上記通報者からの患者情報をもとに患者受け入れ可能な病院を検索する検索手段と、通報者の携帯端末から該携帯端末により撮像された画像を受信する画像受信手段と、受信された患者の画像を表示する表示手段とを備え、上記通報者と上記医者との会話内容を、上記患者の受け入れ先となる病院に設けられた通信端末に送信し、当該病院の医師にそれら撮像画像及び会話を視聴させるようにしたことを特徴とする緊急通信サービス提供装置。
【請求項１２】
地上ネットワーク、このネットワークのゲートウェイ局、及び準天頂衛星を経由して救急車の通信装置に接続される救急センターに、上記救急車で搬送される患者の救急車内における撮像画像を受信する画像受信手段と、受信された患者の画像を表示する表示手段と、上記表示手段の画像を医者が見て上記救急車の患者と同乗する救急救命士と会話する音声通信手段とを備え、上記受信画像と上記会話内容を、患者の受け入れ先となる病院に設けられた通信端末に送信し、当該病院の医師にそれら撮像画像及び会話を視聴させるようにしたことを特徴とする緊急通信サービス提供装置。
【請求項１３】
地上ネットワーク、このネットワークのゲートウェイ局、及び準天頂衛星を経由して救急車の通信装置に接続される救急センターに、通報者の携帯端末から該携帯端末により撮像された画像を受信する画像受信手段と、受信された患者の画像を表示する表示手段とを備え、上記通報者と上記医者との会話内容を、患者の受け入れ先となる病院に設けられた通信端末に送信し、当該病院の医師にそれら撮像画像及び会話を視聴させるようにしたことを特徴とする緊急通信サービス提供装置。
【請求項１４】
救急車に車載された撮像装置から患者の撮像画像を準天頂衛星及び地上ネットワークを介して受信し、その撮像画像を表示し、その撮像画像を見た第一の医師から音声指示を上記救急車に上記患者と同乗するものへ送信し、上記同乗者からの音声を上記準天頂衛星及び上記地上ネットワークを介して受信し、その受信された上記同乗者からの音声を音声出力し、それら上記撮像画像、上記第一の医師からの音声指示、及び上記同乗者からの音声を、上記患者の受け入れ先であり第二の医師が駐在する病院に設けられた通信装置へ送信するようにしたことを特徴とする緊急通信サービス提供方法。
【請求項１５】
患者の発生を通報してきた通報者の携帯端末から、該携帯端末から撮像された画像を受信し、その携帯画像を表示し、その撮像画像を見た第一の医師からの音声指示を上記通報者の携帯端末へ送信し、上記通報者からの音声を上記携帯端末から受信し、その受信された上記通報者の音声を音声出力し、それら上記撮像画像、上記第一の医師からの音声指示、及び上記通報者からの音声を、上記患者の受け入れ先であり第二の医師が駐在する病院に設けられた通信装置または上記救急車に車載された通信装置へ送信するようにしたことを特徴とする緊急通信サービス提供方法。
【発明の詳細な説明】
【０００１】
【発明の属する技術分野】
この発明は、例えば医療サービスに利用される緊急通信サービス提供方法及び装置に関するものである。
【０００２】
【従来の技術】
図６は特許文献１に開示されている本発明に関連するシステムを示すもので、人工衛星９０と、救急車９７と、救急救命センター９８とから構成されている。救急車９７で搬送中の救急患者に関する内視鏡、エコー、心電図、カメラ等の画像データ９９は人工衛星９０を介して救急救命センター９８に伝送され、救急救命センター９８より、その患者に対する適切な処置を１００のように伝送できる。
【０００３】
【特許文献１】
日本国特許第３１５３４９６号公報
【０００４】
【発明が解決しようとする課題】
しかし上記従来のシステムでは、固定局側である各救急救命センターに衛星受信装置を設けねばならないためシステムコストがかさみ、しかも応用範囲もある程度制限されるという問題点があった。
【０００５】
この発明は、上記のような問題点を解消するためになされたもので、システムコストを抑え、しかも応用範囲の広いサービスが可能な緊急通信サービス方法及び装置を提供するものである。
【０００６】
【課題を解決するための手段】
この発明の請求項１に係る緊急通信サービス提供方法は、ＧＰＳ受信機を有する端末装置を備えた救急車に搭載された、画像を送信する通信装置と地上ネットワークに接続されたゲートウェイ局を準天頂衛星経由で結び、上記地上ネットワークには救急センターを、さらに救急センターには近隣の複数の病院を結んだサービス網を形成し、上記救急車からの患者の撮像画像を準天頂衛星、ゲートウェイ局、地上ネットワークを通して救急センターに送り、救急センターでは、送られてきた画像をもとに、上記救急車に対して必要な指示を行うようにしたことを特徴とするものである。
【０００７】
また、この発明の請求項２に係る緊急通信サービス提供方法は、ＧＰＳ受信機を備えた救急車に搭載された、画像を送信する通信装置と地上ネットワークに接続されたゲートウェイ局を準天頂衛星経由で結び、上記地上ネットワークには救急センターを、さらに救急センターには近隣の複数の病院を結んだサービス網を形成し、上記救急車からの患者の撮像画像を準天頂衛星、ゲートウェイ局、地上ネットワークを通して救急センターに送り、救急センターでは、送られてきた画像、上記救急車の現在位置、及び救急センターが把握している近隣の病院の所在地、診療科、担当医、受け入れ可能な急患数の内の複数の情報をもとに、上記救急車に対して必要な指示を行うようにしたことを特徴とするものである。
【０００８】
また、請求項１または請求項２に記載の緊急通信サービス提供方法において、上記救急センターは、上記救急車に対して、患者を搬送すべき病院を指示することを特徴とするものである。
【０００９】
また、請求項１または請求項２に記載の緊急通信サービス提供方法において、上記救急センターは、患者を搬送すべき病院の位置を上記救急車のナビゲータに上記サービス網を通して指示するようにしたことを特徴とするものである。
【００１０】
また、請求項１または請求項２に記載の緊急通信サービス提供方法において、上記救急センターは、上記救急センターに常駐する医師が、上記救急車に同乗している救急救命士に対して、初期治療方法を指示することを特徴とするものである。
【００１１】
また、請求項１または請求項２に記載の緊急通信サービス提供方法において、上記救急センターは、上記救急車からの画像を入手したとき、上記救急センター側から制御信号を送ることで、上記画像を撮影するカメラの位置、方向、またはズームの制御を可能にしたことを特徴とするものである。
【００１２】
また、この発明の請求項７に係る緊急通信サービス提供方法は、ＧＰＳ受信機を有する端末装置を備えた救急車に搭載された通信装置と地上ネットワークに接続されたゲートウェイ局を準天頂衛星経由で結び、上記地上ネットワークに救急センターを、また上記救急センターに近隣の複数の病院を結んだサービス網を形成し、上記救急センターは、通報者から通報を受けた患者の現在地を患者の搬送に向かう救急車のナビゲータに上記サービス網を通して指示するようにしたことを特徴とするものである。
【００１３】
また、請求項１〜請求項７のいずれかに記載の緊急通信サービス提供方法において、上記救急センターは、近隣の病院の所在地、診療科、受け入れ可能な急患数を記録し、上記記録内容をネットワークを介して常にアップデートしていることを特徴とするものである。
【００１４】
また、この発明の請求項９に係る緊急通信サービス提供方法は、ＧＰＳ受信機を有する端末装置を備えた車両に搭載された通信装置と地上ネットワークに接続されたゲートウェイ局を準天頂衛星経由で結び、上記地上ネットワークには警察本部及び／または救急センターを結んだサービス網を形成し、上記警察本部及び／または救急センターは、上記車両から上記サービス網を通して事故の通報を受けたとき、上記事故車からの位置情報に基づいて、パトロールカー及び／または救急車に事故現場に向かう指示を与えるようにしたことを特徴とするものである。
【００１５】
また、この発明の請求項１０に係る緊急通信サービス提供装置は、地上ネットワーク、このネットワークのゲートウェイ局、及び準天頂衛星を経由して救急車の通信装置に接続される救急センターに、近隣の病院の所在地、診療科、受け入れ可能な急患数等の情報を記録する記録手段と、通報者から通報された患者位置及び上記救急車からの患者情報をもとに患者受け入れ可能な病院を検索する検索手段と、上記救急車で搬送される患者の救急車内における撮像画像を受信する画像受信手段と、受信された患者の画像を表示する表示手段と、上記表示手段の画像を医者が見て上記救急車の患者と同乗する救急救命士と会話する音声通信手段とを備え、上記受信画像と上記会話内容を、上記患者の受け入れ先となる病院に設けられた通信端末に送信し、当該病院の医師にそれら撮像画像及び会話を視聴させるようにしたことを特徴とするものである。
【００１６】
また、この発明の請求項１１に係る緊急通信サービス提供装置は、地上ネットワーク、このネットワークのゲートウェイ局、及び準天頂衛星を経由して救急車の通信装置に接続される救急センターに、近隣の病院の所在地、診療科、受け入れ可能な急患数等の情報を記録する記録手段と、通報者から通報された患者位置及び上記通報者からの患者情報をもとに患者受け入れ可能な病院を検索する検索手段と、通報者の携帯端末から該携帯端末により撮像された画像を受信する画像受信手段と、受信された患者の画像を表示する表示手段とを備え、上記通報者と上記医者との会話内容を、上記患者の受け入れ先となる病院に設けられた通信端末に送信し、当該病院の医師にそれら撮像画像及び会話を視聴させるようにしたことを特徴とするものである。
【００１７】
また、この発明の請求項１２に係る緊急通信サービス提供装置は、地上ネットワーク、このネットワークのゲートウェイ局、及び準天頂衛星を経由して救急車の通信装置に接続される救急センターに、上記救急車で搬送される患者の救急車内における撮像画像を受信する画像受信手段と、受信された患者の画像を表示する表示手段と、上記表示手段の画像を医者が見て上記救急車の患者と同乗する救急救命士と会話する音声通信手段とを備え、上記受信画像と上記会話内容を、患者の受け入れ先となる病院に設けられた通信端末に送信し、当該病院の医師にそれら撮像画像及び会話を視聴させるようにしたことを特徴とするものである。
【００１８】
また、この発明の請求項１３に係る緊急通信サービス提供装置は、地上ネットワーク、このネットワークのゲートウェイ局、及び準天頂衛星を経由して救急車の通信装置に接続される救急センターに、通報者の携帯端末から該携帯端末により撮像された画像を受信する画像受信手段と、受信された患者の画像を表示する表示手段とを備え、上記通報者と上記医者との会話内容を、患者の受け入れ先となる病院に設けられた通信端末に送信し、当該病院の医師にそれら撮像画像及び会話を視聴させるようにしたことを特徴とするものである。
【００１９】
また、この発明の請求項１４に係る緊急通信サービス提供方法は、救急車に車載された撮像装置から患者の撮像画像を準天頂衛星及び地上ネットワークを介して受信し、その撮像画像を表示し、その撮像画像を見た第一の医師から音声指示を上記救急車に上記患者と同乗するものへ送信し、上記同乗者からの音声を上記準天頂衛星及び上記地上ネットワークを介して受信し、その受信された上記同乗者からの音声を音声出力し、それら上記撮像画像、上記第一の医師からの音声指示、及び上記同乗者からの音声を、上記患者の受け入れ先であり第二の医師が駐在する病院に設けられた通信装置へ送信するようにしたことを特徴とするものである。
【００２０】
また、この発明の請求項１５に係る緊急通信サービス提供方法は、患者の発生を通報してきた通報者の携帯端末から、該携帯端末から撮像された画像を受信し、その携帯画像を表示し、その撮像画像を見た第一の医師からの音声指示を上記通報者の携帯端末へ送信し、上記通報者からの音声を上記携帯端末から受信し、その受信された上記通報者の音声を音声出力し、それら上記撮像画像、上記第一の医師からの音声指示、及び上記通報者からの音声を、上記患者の受け入れ先であり第二の医師が駐在する病院に設けられた通信装置または上記救急車に車載された通信装置へ送信するようにしたことを特徴とするものである。
【００２１】
【発明の実施の形態】
実施の形態１．
この発明に係る緊急通信サービス提供方法及び装置は準天頂衛星とゲートウェイ局と地上ネットワーク（ＩＰプロトコルネットワーク）を利用する。ユーザと準天頂衛星を結ぶサービスリンクは日本全土に１０個程度はりめぐらせる。一方、準天頂衛星とゲートウェイ局を結ぶフィーダリンクは日本全土に３個程度設ける。
【００２２】
図１は実施の形態１に係る緊急通信サービス提供方法及び装置を説明する図で、ゲートウェイ局４は準天頂衛星１との通信装置を備え、ゲートウェイ局４からの送受信信号を地上ネットワーク３に接続する。地上ネットワーク３には複数の救急センター５１、５２、…、５ｘとシステム統合センター７が接続され、さらに各救急センター５１、５２、…、５ｘには救急センター近隣の病院５１１、５１２、…、５１ｎ、５２１、５２２、…、５２ｍ、５ｘ１…がそれぞれ接続されている。
【００２３】
各救急センター５１（５２、…、５ｘも同様の構成である）には図２に示すように、通信装置５１ａ、記録装置５１ｂ、検索装置５１ｃ、画像表示装置５１ｄ、音声入出力装置５１ｅ、画像・音声記録装置５１ｆ等が設けられている。記録装置５１ｂは、各病院からの情報、例えば、病院の所在地はもとより、専門診療科、受け入れ可能な急患数、駐在する担当医師等の情報を集約して図３の形で記録しており、このうち受け入れ可能な急患数、担当医師名等は救急センター５１、５２、…、５ｘと各病院の間のネットワークを通して常に最新情報に書き換えられる。従って、救急センター５１、５２、…、５ｘの医師はこれらの情報を常に把握することができる。
【００２４】
検索装置５１ｃにはキーボード入力部が設けられ、救急車２からの患者の位置情報等をもとに救急センターと接続されている病院の内、患者受け入れ可能な病院を検索する。画像表示装置５１ｄは救急車２から準天頂衛星１、ゲートウェイ局４、地上ネットワーク３経由で送られてくる患者の画像を表示する。音声入出力装置５１ｅは上記表示画像を見て、救急センターの医師が救急車２の救急救命士等と情報交換、指示等の音声会話を行う。画像・音声記録装置５１ｆは救急車２から送られてくる画像、救急車２または通報者１０と救急センターの医師との会話を記録する。なお、本発明の明細書における救急車とは、救急自動車のみならず救急ヘリコプターを含む救急患者搬送手段を指すものとする。
【００２５】
救急車２に搭載された端末装置からは患者の病状を示す各種の動画像、静止画像が準天頂衛星１に向けて送られ、準天頂衛星１を経由してゲートウェイ局４で受信される。ゲートウェイ局４の受信信号は地上ネットワーク３に流される。救急センター５１、５２、…、５ｘでは、地上ネットワーク３を通じて送られる患者の画像を救急センター５１、５２、…、５ｘの医師が画像表示装置５１ｄで見て、救急車２側の救急救命士に対して音声入出力装置５１ｅを用いて、音声放送により、地上ネットワーク３、ゲートウェイ局４、準天頂衛星１からなるサービス網経由で初期治療の指示を与える。
【００２６】
また、救急車２の現在位置と図３の表示をもとに救急車２に対して患者をどの病院に搬送するかの指示を出すことができる。救急センターから救急車２へ与える搬送先病院の指示は、携帯端末を用いたものでもよいし、上記サービス網を用いて救急車のナビゲータに与え、それにより救急車を病院へ誘導するようにしてもよい。あるいは、救急車２に対してどの病院に搬送するかの指示は、救急センターから与える代わりに、救急センターとは別に救急指令センター（図示せず）を上記サービス網に接続しておき、ここから、救急車２の現在位置と図３の表示をもとに救急車２に対して指示するようにしてもよい。救急センターの医師と救急車２の救急救命士の間でやりとりされる会話内容並びに患者の画像は画像・音声記録装置５１ｆに記録しておき、救急車２が患者受け入れ先の病院に搬送完了するまでの間に当該病院へ通信手段により送られ、病院の医師はそれを視聴して予めその内容を把握できるようにしておく。
【００２７】
以上は救急車２と救急センター５１、５２、…、５ｘとのやり取りであるが、患者家族等が通報者１０として救急センター２へ通報する場合も考えられる。通報者１０は患者の状態を自分の携帯端末を用いて画像と共に救急センター２へ送る。救急センター２では通報者１０の観察状況及び画像を医師が見て、通報者１０に応急手当の指示を与える。救急センターでは患者の現在地及び症状をもとに受け入れ病院を検索すると共に、患者の現在地に救急車２を急行させる。このとき、救急センター２は地上ネットワーク３、ゲートウェイ局４、準天頂衛星１からなるサービス網を通して、救急車のナビゲータに患者の現在位置を指示し、救急車２をその場所へ誘導するようにする。
【００２８】
患者が救急車２に収容されてからの処置は上記段落番号［００２３］の説明と同様であるが、本例では、上記画像及び通報者１０と救急センターの医師の会話を画像・音声記録装置５１ｆに記録しておき、また、救急車２が患者を収容してからは上記救急車２からの画像と会話を記録しておき、救急車２が病院に患者を搬送するまでの間に、病院の医師にその内容を視聴させる。
【００２９】
図４は救急車２を示すもので、救急車２には通信用アンテナ２０、ＧＰＳナビゲータ（図示せず）、通信装置２１、音声入出力装置２２、表示装置２３、撮像用カメラ２５の制御装置２４等が設置されている。カメラ２５の制御装置はそのＯＮ／ＯＦＦスイッチ２６を含めて救急センター側から送られる制御信号により制御される。カメラ２５は患者２７のベッド２８に向けて設置され、上記制御信号により前後・上下の位置、カメラの向き、ズームの制御が可能なカメラ２５が用いられる。カメラ２５の画像は表示装置２３でモニターされると共に、通信装置２１からサービス網を通して救急センターへ送られる。救急センターの医師と救急車２の救急救命士は音声入出力装置２２により音声会話を行うことができる。
【００３０】
救急車２からはベッド２８上の患者２７の状況が画像として、準天頂衛星１経由で救急センター側に送られるが、救急センターの医師は、必要に応じて制御信号を送ることで、直接カメラ２５の位置、向き、ズームを制御して必要部分の画像を入手することにより、より適切な指示を救急車側に与えることができる。
【００３１】
以上説明したように、この発明の実施の形態１に係る緊急通信サービス提供方法及び装置によれば、緊急を要する患者が発生した場合、その初期処置及び適切な搬送を医師の指示を得て迅速に行うことができ、また、受け入れ先の病院では搬送途中の経過も把握できるため、患者の救命に多大な効果がある。
【００３２】
実施の形態２．
図５はこの発明の実施の形態２を示すもので、ＧＰＳナビゲータを搭載した車両３０に事故が発生した場合、緊急連絡を行うサービス提供方法である。図５において、車両３０は送信機を備え、事故が発生したとき、その衝撃を検出して自動的に、または運転者からの音声等による事故発生信号及びＧＰＳによる現在位置信号を準天頂衛星１、ゲートウェイ局４経由で地上ネットワーク３へ流す。地上ネットワーク３には警察本部６１、救急センター５１が接続され、さらに警察本部６１には多数の警察署６１１〜６１ｎが接続され、救急センター５１には多数の病院５１１〜５１ｎが接続されている。
【００３３】
警察本部６１が事故車からの事故発生信号を受信すると、その位置情報から事故車３０の位置を特定し、パトロールカー８へ事故車３０の位置情報を伝送し、事故現場への急行を指示する。一方、救急センター５１は事故信号を受信すると、その位置情報から事故車３０の位置を特定し、救急車２に事故車３０の位置情報を伝送し、事故現場への急行を指示する。
【００３４】
救急車２は事故現場での事故の状況を画像で救急センター５１へ送り、救急センター５１は、その画像等から受け入れ先の病院を検索し救急車２に連絡するのは実施の形態１と同様である。警察本部６１では各警察署と連絡を取り必要な配備を行う。
【００３５】
本実施の形態２によれば、車両事故発生の場合、警察と救急センターがいち早く事故を察知して、パトロールカー及び救急車へ事故現場への急行を指示することができるため、事故処理を迅速に行うことができる。
【００３６】
【発明の効果】
従来、救急車では患者の状況に応じて救急救命士があちこちの病院に電話照会を行い、患者の搬送先を決めていたが、本実施の形態によれば救急センターが救急車または通報者の情報に基づいて受け入れ先病院を検索し、救急車に指示を与えるので、従来の手間が省け、迅速な処置が可能である。
【００３７】
また、従来のシステムでは、救急センター毎に衛星受信装置を必要とするためシステムコストが嵩むだけでなく、衛星による広域サービスの利点が十分生かされなかった。これに対して、この発明によれば、救急センター、警察本部等は既存のネットワークに接続するだけよく、システムコストを抑え、しかも情報の一元管理により日本全国いかなる僻地でも同じサービスを受けることができる。
【図面の簡単な説明】
【図１】この発明の実施の形態１に係る緊急通信サービス提供方法及び装置を説明する図である。
【図２】実施の形態１の救急車の端末装置を示すブロック図である。
【図３】実施の形態１の救急センターが集約している病院の状況を示す画面である。
【図４】実施の形態１の救急車内部を示す略線図である。
【図５】この発明の実施の形態２に係る緊急通信サービス提供方法及び装置説明する図である。
【図６】従来の通信サービス提供方法を説明する図である。
【符号の説明】
１　準天頂衛星、　　　　　　　　　　　２　救急車、
３　地上ネットワーク、　　　　　　　　４　ゲートウェイ局、
７　システム統合センター、　　　　　　８　パトロールカー、
１０　通報者、　　　　　　　　　　　　２０　アンテナ、
２１　通信装置、　　　　　　　　　　　２２　音声入出力装置、
２３　表示装置、　　　　　　　　　　　２４　カメラ制御装置、
２５　撮像カメラ、　　　　　　　　　　２６　ＯＮ／ＯＦＦスイッチ、
２７　患者、　　　　　　　　　　　　　２８　ベッド、
３０　事故車、
５１，５２，５ｘ　救急センター、
５１ａ　通信装置、
５１ｂ　記録装置、
５１ｃ　検索装置、
５１ｄ　画像表示装置、
５１ｅ　音声入出力装置、
５１ｆ　画像・音声記録装置、
６１　警察本部、
５１１〜５１ｎ　病院、
５２１〜５２ｍ　病院、
５ｘ１　病院、
６１１〜６１ｎ　警察署。
【図１】
2004126751.tif 000003
【図２】
2004126751.tif 000004
【図３】
2004126751.tif 000005
【図４】
2004126751.tif 000006
【図５】
2004126751.tif 000007
【図６】
2004126751.tif 000008